【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
動画ピクチャのグループを復号する方法であって、前記方法は、
前記動画ピクチャのグループのうちの符号化された第１の動画ピクチャ及び符号化された第２の動画ピクチャをビットストリームにおいて受信することであって、前記符号化された第１の動画ピクチャ及び第２の動画ピクチャは、それぞれ少なくとも３つの階層的符号化レベルを有する第１の階層的符号化構造及び第２の階層的符号化構造として前記ビットストリームに格納される、ことと、
それぞれ前記第１の動画ピクチャ及び第２の動画ピクチャのためのものである第１の彩度量子化グループ及び第２の彩度量子化グループを定義するパラメータセットを前記ビットストリームにおいて受信することであって、前記第１の彩度量子化グループ及び第２の彩度量子化グループはそれぞれ異なるサイズを持つと共に各自の階層的符号化構造の第３の階層的符号化レベルで定義されている、ことと、
各符号化動画ピクチャについて、前記量子化グループに関連する彩度ＱＰオフセット値を用いて前記動画ピクチャの前記彩度量子化グループのための彩度量子化パラメータ（ＱＰ）を算出することと、
を備える、方法。
【請求項２】
請求項１に記載の方法であって、前記第１の動画ピクチャ及び第２の動画ピクチャそれぞれの前記符号化構造に格納される、対応する動画ピクチャのための前記彩度量子化グループの前記サイズを指定するためのパラメータを受信することを更に備える、
方法。
【請求項３】
請求項２に記載の方法であって、前記第１の動画ピクチャ及び第２の動画ピクチャの前記符号化構造における前記パラメータは、それぞれの動画ピクチャについて異なる彩度量子化グループのサイズを指定する、
方法。
【請求項４】
請求項１に記載の方法であって、それぞれの彩度量子化グループは、前記符号化動画ピクチャの複数の動画データユニットからの動画データユニットのセットを含み、前記第１の彩度量子化グループは、前記第２の彩度量子化グループとは異なる数の動画データユニットを含む、
方法。
【請求項５】
請求項４に記載の方法であって、動画データユニットは、符号化ツリーユニット、符号化ユニット、及び変換ユニットのうちのいずれかである、
方法。
【請求項６】
請求項１に記載の方法であって、それぞれの彩度量子化グループは、前記符号化動画ピクチャの複数の動画データユニットからの動画データユニットのセットを含み、前記方法は、前記第１の動画ピクチャ及び第２の動画ピクチャそれぞれの前記符号化構造に格納される、前記動画ピクチャの各量子化グループにおける動画データユニットの数を識別するためのパラメータを受信することを更に備える、
方法。
【請求項７】
請求項６に記載の方法であって、前記第１の動画ピクチャ及び第２の動画ピクチャの前記符号化構造に格納される前記パラメータは、対応する動画ピクチャの前記彩度量子化グループのための異なる数の動画符号化ユニットを指定する、
方法。
【請求項８】
請求項１に記載の方法であって、前記第１の動画ピクチャの前記第３の階層的符号化レベルは、（ｉ）前記第１の動画ピクチャの第１の階層的符号化レベル、及び（ｉｉ）前記第１の動画ピクチャの第２の階層的符号化レベルの下にあり、前記第２の動画ピクチャの前記第３の階層的符号化レベルは、（ｉ）前記第２の動画ピクチャの第１の階層的符号化レベル、（ｉｉ）前記第２の動画ピクチャの第２の階層的符号化レベル、及び（ｉｉｉ）前記第２の動画ピクチャの第４の階層的符号化レベルの下にある、
方法。
【請求項９】
請求項８に記載の方法であって、前記第１の動画ピクチャの前記第１の階層的符号化レベルは、ピクチャレベルである、
方法。
【請求項１０】
請求項９に記載の方法であって、前記第１の動画ピクチャの前記第２の階層的符号化レベルは、スライスレベルである、
方法。
【請求項１１】
請求項１０に記載の方法であって、前記第２の動画ピクチャの前記第４の階層的符号化レベルは、符号化ツリーユニットである、
方法。
【請求項１２】
コンピューティングデバイスであって、
処理ユニットのセットと、
前記処理ユニットのうちの少なくとも１つにより実行するためのプログラムを格納した非一時的な機械可読媒体と、を備え、前記プログラムは、
動画ピクチャのグループのうちの符号化された第１の動画ピクチャ及び符号化された第２の動画ピクチャをビットストリームにおいて受信することであって、前記符号化された第１の動画ピクチャ及び第２の動画ピクチャは、それぞれ少なくとも３つの階層的符号化レベルを有する第１の階層的符号化構造及び第２の階層的符号化構造として前記ビットストリームに格納される、ことと、
それぞれ前記第１の動画ピクチャ及び第２の動画ピクチャのためのものである第１の彩度量子化グループ及び第２の彩度量子化グループを定義するパラメータセットを前記ビットストリームにおいて受信することであって、前記第１の彩度量子化グループ及び第２の彩度量子化グループはそれぞれ異なるサイズを持つと共に各自の階層的符号化構造の第３の階層的符号化レベルで定義されている、ことと、
各符号化動画ピクチャについて、前記量子化グループに関連する彩度ＱＰオフセット値を用いて前記動画ピクチャの前記彩度量子化グループのための彩度量子化パラメータ（ＱＰ）を算出することと、
のための命令セットを含む、コンピューティングデバイス。
【請求項１３】
請求項１２に記載のコンピューティングデバイスであって、前記プログラムは、前記第１の動画ピクチャ及び第２の動画ピクチャそれぞれの前記符号化構造に格納される、対応する動画ピクチャのための前記彩度量子化グループの前記サイズを指定するためのパラメータを受信することのための命令セットを更に含む、
コンピューティングデバイス。
【請求項１４】
請求項１３に記載のコンピューティングデバイスであって、前記第１の動画ピクチャ及び第２の動画ピクチャの前記符号化構造における前記パラメータは、それぞれの動画ピクチャについて異なる彩度量子化グループのサイズを指定する、
コンピューティングデバイス。
【請求項１５】
請求項１２に記載のコンピューティングデバイスであって、それぞれの彩度量子化グループは、前記符号化動画ピクチャの複数の動画データユニットからの動画データユニットのセットを含み、前記第１の彩度量子化グループは、前記第２の彩度量子化グループとは異なる数の動画データユニットを含む、
コンピューティングデバイス。
【請求項１６】
請求項１５に記載のコンピューティングデバイスであって、動画データユニットは、符号化ツリーユニット、符号化ユニット、及び変換ユニットのうちのいずれかである、
コンピューティングデバイス。
【請求項１７】
請求項１２に記載のコンピューティングデバイスであって、それぞれの彩度量子化グループは、前記符号化動画ピクチャの複数の動画データユニットからの動画データユニットのセットを含み、前記プログラムは、前記第１の動画ピクチャ及び第２の動画ピクチャそれぞれの前記符号化構造に格納される、前記動画ピクチャの各量子化グループにおける動画データユニットの数を識別するためのパラメータを受信することのための命令セットを更に含む、
コンピューティングデバイス。
【請求項１８】
請求項１７に記載のコンピューティングデバイスであって、前記第１の動画ピクチャ及び第２の動画ピクチャの前記符号化構造に格納される前記パラメータは、対応する動画ピクチャの前記彩度量子化グループのための異なる数の動画符号化ユニットを指定する、
コンピューティングデバイス。
【請求項１９】
請求項１２に記載のコンピューティングデバイスであって、前記第１の動画ピクチャの前記第３の階層的符号化レベルは、（ｉ）前記第１の動画ピクチャの第１の階層的符号化レベル、及び（ｉｉ）前記第１の動画ピクチャの第２の階層的符号化レベルの下にあり、前記第２の動画ピクチャの前記第３の階層的符号化レベルは、（ｉ）前記第２の動画ピクチャの第１の階層的符号化レベル、（ｉｉ）前記第２の動画ピクチャの第２の階層的符号化レベル、及び（ｉｉｉ）前記第２の動画ピクチャの第４の階層的符号化レベルの下にある、
コンピューティングデバイス。
【請求項２０】
請求項１９に記載のコンピューティングデバイスであって、前記第１の動画ピクチャの前記第１の階層的符号化レベルは、ピクチャレベルであり、前記第１の動画ピクチャの前記第２の階層的符号化レベルは、スライスレベルであり、前記第２の動画ピクチャの前記第４の階層的符号化レベルは、符号化ツリーユニットである、
コンピューティングデバイス。
【請求項２１】
コンピュータに、請求項１乃至１１のいずれか１項に記載の方法を実行させるためのコンピュータプログラム。